【事件の表示】
　特願２００８−５１２９６６「カラーディスプレイ装置、回路、コンピュータ読み取り可能な媒体、コンピュータプログラム及びその方法」拒絶査定不服審判事件〔平成１８年１１月３０日国際公開、ＷＯ２００６／１２６１１８、平成２０年１１月２７日国内公表、特表２００８−５４２８０８〕について、次のとおり審決する。
【結　論】
　本件審判の請求は、成り立たない。
【理　由】
第１　手続の経緯
　この審判事件に関する出願（以下、「本件出願」という。）は、２００５年（平成１７年）５月２３日（以下、「優先日」という。）及び同年８月１７日にそれぞれヨーロッパ特許庁に対してされた特許出願に基づくパリ条約の優先権を主張して平成１８年５月９日された国際特許出願である。そして、平成２１年５月１日付け手続補正書により特許請求の範囲についての補正がされ、平成２４年８月６日付け手続補正書により明細書及び特許請求の範囲についての補正がされた。その後、同年９月２０日付けで拒絶査定がされ、同年同月２５日に査定の謄本が送達された。
　これに対して、平成２５年１月２２日に拒絶査定不服審判が請求され、同時に特許請求の範囲についての補正（以下、「本件補正」という。）がされた。
　
第２　本件補正の却下の決定
［結論］
　本件補正を却下する。
　
［理由］
１．本件補正の内容
　本件補正は、本件補正前（平成２４年８月６日付け手続補正書による補正の後をいう。以下同じ。）の特許請求の範囲の請求項１を以下のように補正することを含む。なお、下線は、請求人が付したものであり、補正箇所を示す。
　
（本件補正前）
「【請求項１】
　カラー画像を表示するためのカラーディスプレイ装置であって、前記カラーディスプレイ装置は、
　前記カラー画像を表示するための、それぞれが駆動信号によって制御可能な、複数の画像要素を備えたディスプレイパネルと、
　第１の期間の間第１のスペクトルを、及び第２の期間の間前記第１のスペクトルとは異なる第２のスペクトルを、前記複数の画像要素に供給することが可能な光源と、
　前記カラー画像を表す情報を処理するためのビデオ処理手段と、
を有し、前記ビデオ処理手段は、前記情報から前記第１のスペクトルを用いて前記第１の期間の間前記複数の画像要素を駆動するための原色駆動信号の第１のセットと、前記第２のスペクトルを用いて前記第２の期間の間前記複数の画像要素を駆動するための原色駆動信号の第２のセットとを生成し、前記ビデオ処理手段は、
　前記カラーディスプレイ装置における電気光学クロストーク効果を低減するための手段であって、前記光源のスペクトルの１つ以上のパラメータに依存して前記複数の画像要素のそれぞれに対する前記駆動信号を変更するように構成された電気光学クロストーク効果を低減するための手段を有する、カラーディスプレイ装置。」
　
（本件補正後）
「【請求項１】
　カラー画像を表示するためのカラーディスプレイ装置であって、前記カラーディスプレイ装置は、
　前記カラー画像を表示するための、それぞれが駆動信号によって制御可能な、複数の画像要素を備えたディスプレイパネルと、
　第１の期間の間第１のスペクトルを、及び第２の期間の間前記第１のスペクトルとは異なる
原色系の
　前記カラー画像を表す情報を処理するためのビデオ処理手段と、
を有し、前記ビデオ処理手段は、前記情報から前記第１のスペクトルを用いて前記第１の期間の間前記複数の画像要素を駆動するための原色駆動信号の第１のセットと、前記第２のスペクトルを用いて前記第２の期間の間前記複数の画像要素を駆動するための原色駆動信号の第２のセットとを生成し、前記ビデオ処理手段は、
　前記カラーディスプレイ装置における電気光学クロストーク効果を低減するための手段であって、前記光源のスペクトルの１つ以上のパラメータに依存して前記複数の画像要素のそれぞれに対する前記駆動信号を変更するように構成された電気光学クロストーク効果を低減するための手段を有し、
　
前記原色駆動信号の第１のセットと前記原色駆動信号の第２のセットとはそれぞれ異なる原色系の原色駆動信号を有する
　
　本件補正のうち、請求項１についての補正は、「第２のスペクトル」が「第１のスペクトルとは異なる原色系」のものである旨の限定を付加し、また、「原色駆動信号の第１のセット」と「原色駆動信号の第２のセット」とが「それぞれ異なる原色系の原色駆動信号を有する」旨の限定を付加するものである。
　したがって、本件補正のうち、請求項１についての補正は、いわゆる特許請求の範囲の限定的減縮を目的とするものに該当する。
　この場合、本件補正後の請求項１に係る発明（以下、「本件補正発明」という。）は、特許出願の際独立して特許を受けることができるものでなければならない。
　しかし、以下に述べるとおり、本件補正発明は、特許法第２９条第２項の規定により特許出願の際独立して特許を受けることができない。
　
２．刊行物に記載された事項
　以下に掲げる刊行物１から３までは、いずれも、本件出願前の優先日前に日本国内又は外国において頒布された刊行物である。また、刊行物１は、原査定の拒絶の理由に引用された刊行物である。
　
　　刊行物１：特開２００１−２５５８５８号公報
　　刊行物２：特開２００３−１０７４７２号公報
　　刊行物３：国際公開第２００４／０３２５２３号
　
（１）刊行物１
ア．刊行物１の記載
　刊行物１には、以下の記載がある。
　
（ア）段落０００２から０００８まで
「【０００２】
【従来の技術】まず、本発明の前提となる面順次方式によるカラー液晶表示装置の基本構成を、本出願人が先に提案した液晶表示装置（特願平１１−２４７６２１号）を例にして説明する。
　【０００３】図９は、面順次方式による液晶表示装置の構成を示すブロック図である。この液晶表示装置１００は、複数の表示画素ＰＸと、これら表示画素ＰＸを駆動する水平走査回路１０１及び垂直走査回路１０２を備えている。
　【０００４】この液晶表示装置１００では、図示しない単結晶のシリコン基板上に複数の列信号線Ｄ１、Ｄ２・・・（以下、適宜にＤと総称する）が並行して配置されており、またこれと直交する方向に複数の行信号線Ｇ１、Ｇ２・・・（以下、適宜にＧと総称する）が配置されている。各列信号線Ｄと各行信号線Ｇとの交差部にはそれぞれ表示画素ＰＸが形成されている。
　【０００５】水平走査回路１０１は、図示しない水平シフトレジスタやサンプリングスイッチにより構成されており、水平スタート信号Ｈｓｔ及び水平クロック信号Ｈｃｋに基づいて、列信号線Ｄ１、Ｄ２・・・に所定のタイミングで映像信号を出力する。
　【０００６】垂直走査回路１０２は、垂直シフトレジスタを含む回路で構成されており、垂直スタート信号Ｖｓｔ及び垂直クロック信号Ｖｃｋに基づいて、行信号線Ｇ１、Ｇ２・・・に１水平走査期間ごとに走査信号を出力する。
　【０００７】表示画素ＰＸは、第１のスイッチングトランジスタＴｒ１（以下、Ｔｒ１と略称する）、第２のスイッチングトランジスタＴｒ２（以下、Ｔｒ２と略称する）、補助容量Ｃｓ、画素電極１０３、共通電極１０４及びこれら電極間に保持される液晶部材１０５から構成されている。このうち、Ｔｒ１のドレインは列信号線Ｄ１、Ｄ２・・・に接続され、また、ゲートは行信号線Ｇ１、Ｇ２・・・に接続されている。さらにＴｒ２のゲートは一括転送パルス供給線１０９に接続されている。なお、前記共通電極１０４は、前記図示しないシリコン基板と対向配置された図示しない対向基板上に形成されている。
　【０００８】また、映像信号、水平スタート信号Ｈｓｔ、水平クロック信号Ｈｃｋ、垂直スタート信号Ｖｓｔ、垂直クロック信号Ｖｃｋ及び一括転送パルスは、後述する表示パルス駆動回路（２０５）から供給されている。」
　
（イ）段落０００９及び００１０
「【０００９】上記のように構成された液晶表示装置１００において、水平走査回路１０１は、図示しない表示パネル駆動回路から供給される水平スタート信号Ｈｓｔ及び水平クロック信号Ｈｃｋにより駆動され、１水平走査期間に出力すべき１ライン（１行）分の映像信号を列信号線Ｄ１、Ｄ２・・・に同時にサンプリングする。一方、垂直走査回路１０２は、同じく図示しない表示パネル駆動回路から供給される垂直スタート信号Ｖｓｔ及び垂直クロック信号Ｖｃｋにより駆動され、行信号線Ｇ１、Ｇ２・・・に１水平走査期間ごとに走査信号を出力する。これにより、行信号線Ｇ１、Ｇ２・・・に接続されたＴｒ１は１ラインづつオン状態となり、列信号線Ｄ１、Ｄ２・・・にサンプリングされた１ライン分の映像信号は補助容量Ｃｓに電荷情報として蓄積される。この動作を１フレーム分繰り返した後、図示しない表示パネル駆動回路からＴｒ２に一括転送パルスが供給されると、全てのＴｒ２がオン状態となり、全表示画素ＰＸの画素電極１０３に１フレーム分の映像信号が一括して転送される（一括転送方式）。この結果、各表示画素ＰＸに対応した液晶部材１０５には、画素電極１０３を介して映像信号が印加され、液晶の光変調度が映像信号の電圧値に従って変化し、映像信号のもつ情報量に応じた階調の画像が表示される。
　【００１０】図１０は、このような液晶表示装置１００の動作タイミングを示すタイミングチャートである。一括転送方式では、１フレーム分の映像信号について先頭のラインから最終ラインまでの走査を期間ｔ１で行い、これが完了した時点で一括転送パルスを与えている。ただし、液晶応答は先頭ラインの走査開始から期間ｔ２だけ遅れるため、光源からの読み出し光はこのタイミングに合うように照射されている。なお、現フレームで表示される画像は前フレームで書き込まれた映像信号の画像である。図１０の例で説明すると、期間ｔＦでは１フレーム前にサンプリングされたＧ（緑）の画像が現フレームとして表示されており、この間に次の１フレーム分のＢ（青）の画像がサンプリングされる。」
　
（ウ）段落００１２から００１６まで
「【００１２】図１２は、上記液晶表示装置１００を備えたカラー液晶表示システム２００の全体構成を示すブロック図である。このカラー液晶表示システム２００の光学系は、液晶表示装置１００、ＰＢＳ（偏光ビームスプリッタ）２０１、ＬＥＤ２０２、拡散板２０３及びレンズ２０４により構成されている。また駆動回路系は、表示パネル駆動回路２０５、タイミング生成回路２０６、ＬＥＤ駆動回路２０７及び面順次信号変換回路２０８により構成されている。
　【００１３】面順次信号変換回路２０８はフレームバッファ回路であり、図示しない外部回路からパラレルデータとしてＲＧＢ同時に入力された映像信号を、ＲＧＢの時系列データに変換する。タイミング生成回路２０６からは、面順次信号変換回路２０８でパラレルデータを時系列データに変換するのに必要な制御信号が供給されている。
　【００１４】さらに、面順次信号変換回路２０８で変換された映像信号は、表示パネル駆動回路２０５で必要な信号処理が施された後、各種のスタート信号やクロック信号とともに液晶表示装置１００に供給される。
　【００１５】液晶表示装置１００では、先に説明した動作により映像信号の走査が行われ、画像が面順次で表示される。一方、ＬＥＤ駆動回路２０７は、この動作と同期したタイミングでＬＥＤ２０２での発光色（ＲＧＢ）を順次切り替えている。映像信号の走査やＬＥＤでの発光のタイミングは、タイミング発生回路２０６から各駆動回路へ供給されるタイミング信号に基づいて制御されている。
　【００１６】光源となるＬＥＤ２０２から前記タイミングで放出された光は、拡散板２０３で均一に拡散された後、ＰＢＳ２０１で液晶表示装置１００側へ導かれる。この光は液晶表示装置１００の下部基板面で反射し、読み出し光として表示画素を通過する。そして、ＬＥＤ２０２の発光色で色づけされたカラー画像がＰＢＳ２０１、レンズ２０４を通じて取り出される。」
　
（エ）段落００１７から００２１まで
「【００１７】
【発明が解決しようとする課題】図１３は、表示画素ＰＸ（図９）の詳細な等価回路図である。図中、Ｃｐはトランジスタ構造や配線に起因する画素部寄生容量、ＣＬは１画素あたりの液晶容量である。またＶｓは映像信号の信号電圧、Ｖｐ（ｎ−１）は画素電極１０３側に蓄積されている前フレームの画素残留電圧を示している。他の部分は図９と同じ符号を付している。
　【００１８】図１３において、信号電圧Ｖｓを画素電極１０３側に転送したときに、信号電圧Ｖｓの電位のままで転送されることはない。なぜならば、信号電圧Ｖｓと画素残留電圧Ｖｐ（ｎ−１）との間で電荷の再配分が生じ、信号電圧Ｖｓの電位は画素残留電圧Ｖｐ（ｎ−１）の分だけ低下するからである。転送により実際に画素電極１０３へ供給される電圧（以下、実効電圧と称す）Ｖｐ（ｎ）は下記の式（１）で求められる。
　【００１９】
　Ｖｐ（ｎ）＝Ｋ・Ｖｓ＋（１−Ｋ）・Ｖｐ（ｎ−１）　・・・（１）
ただし、Ｋ＝Ｃｓ／（Ｃｓ＋Ｃｐ＋ＣＬ）
この実効電圧Ｖｐ（ｎ）と信号電圧Ｖｓとの関係を図１４に示す。図１４から明らかなように、実効電圧Ｖｐ（ｎ）は画素残留電圧Ｖｐ（ｎ−１）の影響を受けるため、元の信号電圧Ｖｓに対して誤差電圧△Ｖｐを生じることになる。この誤差電圧△Ｖｐは、補助容量Ｃｓが画素部寄生容量Ｃｐ及び液晶容量ＣＬに対して極めて大きい条件では無視できるが、実際にはレイアウト面積の関係から補助容量を形成する面積等に限界があり、補助容量Ｃｓを上記のような条件とすることは困難であった。こうした面順次方式によるカラー表示において、前フレームの画素残留電圧Ｖｐ（ｎ−１）は、現フレームの信号電圧Ｖｓとは異なる色の信号であるため、現フレームの色に前フレームの色が干渉する、いわゆるクロストークが発生し、色再現性が著しく劣化するという問題点があった。
　【００２０】また、このようなクロストークの影響を最小限に抑えるために、従来は補助容量Ｃｓを可能な限り大きく形成していることから、表示画素の微細化が難しく、高解像度のシステムに発展させることは不可能であった。
　【００２１】本発明は、画素残留電圧によるクロストークの影響をなくして良好な色再現性を実現するとともに、補助容量の面積を小さくして表示画素の微細化を可能とする液晶表示システムを提供することを目的とする。」
　
（オ）段落００３０から００３９まで
「【００３０】
【発明の実施の形態】以下、本発明に係わる液晶表示システムを、面順次方式によるカラー液晶表示装置を備えたカラー液晶表示システムに適用した場合の実施形態について図面を参照しながら説明する。
　【００３１】なお、以下に説明する第１及び第２の実施形態のカラー液晶表示システム３００及び４００では、その基本構成として図１２に示すような従来のカラー液晶表示システム２００を適用することができる。ただし、液晶表示装置１００などの光学系、表示パネル駆動回路２０５などの駆動回路系の構成は同じである。ここではそれらの説明を省略し、本発明の特徴的な構成である信号処理回路や交流化回路などを中心に説明する。
　【００３２】第１の実施形態
図２は、第１の実施形態に係わるカラー液晶表示システム３００の全体構成を示すブロック図である。この第１の実施形態では、表示パネル駆動回路２０５と面順次信号変換回路２０８の間に、映像信号の補正処理を行う信号処理回路２１０が配置されている。なお図示していないが、信号処理回路２１０と表示パネル駆動回路２０５との間には、後述する交流化回路やＤ／Ａ変換回路などが配置されている。
　【００３３】図１は、信号処理回路２１０の構成を示すブロック図である。この信号処理回路２１０は、１フレーム遅延回路２１１、第１の係数回路２１２、第２の係数回路２１３及び加算回路２１４により構成されている。この信号処理回路２１０には、面順次信号変換回路２０８からＲＧＢに対応した各映像信号が入力されている。
　【００３４】１フレーム遅延回路２１１は、バッファメモリで構成された回路であり、入力された現フレームの映像信号に１フレーム期間（Ｔ）の遅延を与えて出力する。この１フレーム期間の遅延が与えられた映像信号は、後述する第２の係数回路２１３に前フレームの映像信号として供給される。
　【００３５】第１の係数回路２１２及び第２の係数回路２１３は、現フレームの映像信号及び１フレーム遅延回路２１１で遅延された前フレームの映像信号に対し、それぞれ異なる係数を乗じて出力する回路である。各係数回路の係数は、以下の式（２）、（３）で求められた値又はこれとほぼ等しい値に設定されている。ここで、Ｋ１は第１の係数回路２１２の係数を、Ｋ２は第２の係数回路２１３の係数を示している。また、Ｃｓは補助容量値を、Ｃｐは画素電極の寄生容量値を、ＣＬは１画素あたりの液晶容量値をそれぞれ示している。
　【００３６】
　Ｋ１＝１／Ｋ　　　　　・・・（２）
　Ｋ２＝（１−Ｋ）／Ｋ　・・・（３）
ただし、Ｋ＝Ｃｓ／（Ｃｓ＋Ｃｐ＋ＣＬ）
第１の係数回路２１２、第２の係数回路２１３を、例えば抵抗回路で構成した場合は、各回路ごとの係数を抵抗分割により設定することができる。
　【００３７】加算回路２１４は、第１の係数回路２１２及び第２の係数回路２１３から出力された現フレームの映像信号と前フレームの映像信号とを加算し、補正後映像信号として出力する。例えば、現フレームの映像信号Ｇｓ（ｎ）のときの補正後映像信号Ｇｃは、遅延した前フレームの映像信号をＲｓ（ｎ−１）とすると、式（４）で求められる。
　【００３８】
　Ｇｃ＝｛（１／Ｋ）・Ｇｓ（ｎ）｝
　　　　＋｛（１−ｋ）／Ｋ｝・Ｒｓ（ｎ−１）　　　　　　・・・（４）
このようにして得られた補正後映像信号Ｇｃには、前フレームの映像信号成分が（１−Ｋ）／Ｋ　だけ加算されているため、補正後映像信号Ｇｃを現フレームの映像信号として画素表示すると、前記加算された前フレームの映像信号成分により、画素電極側に蓄積されている前フレームの画素残留電圧Ｖｐ（ｎ−１）がキャンセルされる。ここで、式（４）に示す補正後映像信号Ｇｃを画素電極に転送する信号電圧Ｖｓとし、前フレームでの画素残留電圧Ｖｐ（ｎ−１）と式（４）のＲｓ（ｎ−１）が等しいと仮定して、信号電圧Ｖｓを式（１）に代入すると、画素電極に供給される実効電圧Ｖｐ（ｎ）は以下のようになる。
　【００３９】
　Ｖｐ（ｎ）＝Ｋ・Ｇｃ＋（１−Ｋ）・Ｖｐ（ｎ−１）
　　　　　　＝Ｋ・［｛（１／Ｋ）・Ｇｓ（ｎ）｝＋｛（１−Ｋ）／Ｋ｝
　　　　　　　・Ｒｓ（ｎ−１）］＋｛（１−Ｋ）・Ｖｐ（ｎ−１）｝
　　　　　　≒Ｇｓ（ｎ）
すなわち、現フレームに加算された前フレームの映像信号成分（１−Ｋ）／Ｋにより、画素電極側に蓄積されている前フレームの画素残留電圧Ｖｐ（ｎ−１）がキャンセルされるため、実効電圧Ｖｐ（ｎ）はほぼ現フレームの映像信号Ｇｓ（ｎ）と等しくなる。」
　
イ．刊行物１に記載された発明（引用発明）
（ア）刊行物１には、面順次方式による液晶表示装置１００を備えたカラー液晶表示システム３００が記載されている（上記ア．（オ）及び図２）。
　
（イ）液晶表示装置１００は、複数の列信号線Ｄと、それらと直交する複数の行信号線Ｇと、各列信号線Ｄと各行信号線Ｇとの交差部にそれぞれ形成された複数の表示画素ＰＸと、複数の表示画素ＰＸを駆動する水平走査回路１０１及び垂直走査回路１０２と、一括転送パルス供給線１０９とを備える（上記ア．（ア）及び図９）。
　各表示画素ＰＸは、第１のスイッチングトランジスタＴｒ１と、第２のスイッチングトランジスタＴｒ２と、補助容量Ｃｓと、画素電極１０３と、共通電極１０４と、画素電極１０３と共通電極１０４との間に保持される液晶部材１０５とから構成される（同）。
　第１のスイッチングトランジスタＴｒ１は、ドレインが列信号線Ｄに、ゲートが行信号線Ｇに、それぞれ接続され、第２のスイッチングトランジスタＴｒ２は、ゲートが一括転送パルス供給線１０９に接続される（同）。
　
（ウ）水平走査回路１０１は、水平スタート信号Ｈｓｔ及び水平クロック信号Ｈｃｋに基づいて、列信号線Ｄに映像信号を出力し、垂直走査回路１０２は、垂直スタート信号Ｖｓｔ及び垂直クロック信号Ｖｃｋに基づいて、行信号線Ｇに１水平走査期間ごとに走査信号を出力する（上記ア．（ア））。
　映像信号、水平スタート信号Ｈｓｔ、水平クロック信号Ｈｃｋ、垂直スタート信号Ｖｓｔ、垂直クロック信号Ｖｃｋ及び一括転送パルスは、表示パネル駆動回路２０５から供給される（同）。
　
（エ）液晶表示装置１００は、一括転送方式で駆動される。
　すなわち、表示パネル駆動回路２０５からの水平スタート信号Ｈｓｔ及び水平クロック信号Ｈｃｋにより駆動される水平走査回路１０１が、１水平走査期間に出力すべき１ライン分の映像信号を列信号線Ｄに同時にサンプリングし、表示パネル駆動回路２０５からの垂直スタート信号Ｖｓｔ及び垂直クロック信号Ｖｃｋにより駆動される垂直走査回路１０２が、行信号線Ｇに１水平走査期間ごとに走査信号を出力することにより、１フレーム分の映像信号が補助容量Ｃｓに蓄積された後、表示パネル駆動回路２０５からの一括転送パルスによって第２のスイッチングトランジスタＴｒ２が全てオン状態となり、補助容量Ｃｓに蓄積された１フレーム分の映像信号が一括して画素電極１０３に転送される（上記ア．（イ）並びに図２、９及び１０）。
　
（オ）カラー液晶表示システム３００は、液晶表示装置１００に加えて、面順次信号変換回路２０８と、ＬＥＤ２０２とを備える（上記ア．（ウ）及び（オ）並びに図２及び１０）。
　面順次信号変換回路２０８は、外部回路から入力される映像信号を、ＲＧＢパラレルデータからＲＧＢ時系列データに変換する（上記ア．（ウ））。
　ＬＥＤ２０２の発光色は、液晶表示装置１００の一括転送動作に同期して、ＲＧＢに順次切り替えられる（同）。
　
（カ）カラー液晶表示システム３００は、さらに、映像信号の補正処理を行う信号処理回路２１０を備える（上記ア．（オ）及び図２）。
　信号処理回路２１０は、面順次信号変換回路２０８から入力される現フレームの映像信号Ｇｓ（ｎ）に係数１／Ｋを乗じたものと、遅延された前フレームの映像信号Ｒｓ（ｎ−１）に係数（１−Ｋ）／Ｋを乗じたものとを加算して、補正後映像信号Ｇｃとして出力する（上記ア．（オ）及び図１）。
　
（キ）映像信号の補正処理は、面順次方式によるカラー表示において、現フレームの色に前フレームの色が干渉する現象であるクロストークが発生して、色再現性が著しく劣化するという問題点を解決するために行われる（上記ア．（エ）及び（オ））。
　
（ク）以上のことを踏まえて、上記ア．（ア）から（オ）までの記載と、図１、２、９及び１０に示された事項とを総合すると、刊行物１には、以下の発明（以下、「引用発明」という。）が記載されている。
　
「カラー液晶表示システム３００であって、
　カラー液晶表示システム３００は、
　複数の列信号線Ｄ、複数の行信号線Ｇ、複数の表示画素ＰＸ、水平走査回路１０１、垂直走査回路１０２及び一括転送パルス供給線１０９を備え、一括転送方式で駆動される面順次方式による液晶表示装置１００と、
　液晶表示装置１００の一括転送動作に同期して発光色がＲＧＢに順次切り替えられるＬＥＤ２０２と、
　面順次信号変換回路２０８及び信号処理回路２１０と
　を有し、
　面順次信号変換回路２０８は、外部から入力される映像信号を、ＲＧＢパラレルデータからＲＧＢ時系列データに変換し、
　信号処理回路２１０は、面順次信号変換回路２０８から入力される映像信号の補正処理を行って、現フレームの色に前フレームの色が干渉するクロストークの発生を抑制する
　カラー液晶表示システム３００。」
　
（２）刊行物２
ア．刊行物２の記載
　刊行物２には、以下の記載がある。
　
（ア）段落００１７
「【００１７】図１により本実施形態の液晶表示装置の構成について説明する。光源として色純度の高いＬＥＤアレイ光源を用いていることと、このＬＥＤアレイ光源を波長特性の異なる２種類のＬＥＤアレイ光源を用い、この２種類のＬＥＤ光源を液晶パネルの表示に同期して時分割点灯させるとともに、液晶表示部の副画素に配置したそれぞれの光源の発光分布よりも広帯域のカラーフィルタと組み合わせて、このカラーフィルタによりいくつかの光源の光を時系列に選択的に透過させることにより多原色の画像を表示することを特徴としている。」
　
（イ）段落００１８及び００１９
「【００１８】画像に応じた光の面スイッチの役割を果たす液晶表示部４３０の基本構成は、従来の液晶表示装置とほぼ同様で、２枚の透明基板４０３の外側にクロスニコルに配置した２枚の偏光板４０６を貼付し、一方のガラス基板の内側に３色のカラーフィルタ４１０を副画素に位置合せさせて形成した。…（略）…液晶への電圧印加は、図示していないが、一方のガラス基板上に設けたアクティブマトリクス回路を用いた。…（略）…また、メモリ回路を画素内に設けることにより、線順次に画素中のメモリ容量の情報を書き換えつつ、その前のフレームで蓄積した別な表示を実行することが可能であることから、全画面の同時書き換えも可能となる。これにより、書き換え時間を考慮する必要がなくなることから、時系列に光源を切り替える本発明に適している。液晶表示部４３０の下には、透明なアクリルを楔形に成型した導光体４１２とＬＥＤアレイ光源４１１から成る光源部４３１を２つ組み合わせて配置した。図１ｂおよび図１ｃに本実施形態で用いたＬＥＤアレイ光源におけるＬＥＤの配置を示す。図１ｂの構成は２つのＬＥＤアレイ光源４１１Ａと４１１Ｂを異なる発光分布を有するＬＥＤアレイ光源で構成した場合で、それぞれのＬＥＤアレイ光源に３種類のＬＥＤを搭載し、３色のピーク波長を発光することができる。発光波長の組み合わせとしては、６種類の発光波長分布の異なる２種類のＬＥＤアレイの内、隣接する発光波長を持つＬＥＤを別のＬＥＤアレイ光源に配置したことが特徴である。これらの光源により、最大６原色の発光ピークを持つことができる。…（略）…以下の説明では理解の説明の簡便さから、ＬＥＤアレイ光源４１１Ａと４１１Ｂを異なる発光分布を有するＬＥＤアレイ光源で構成した場合について説明する。
　【００１９】図２により、以上で述べたカラーフィルタとＬＥＤそれぞれの分光透過率および発光波長分布の関係について説明する。３色のカラーフィルタの透過率分布４３２Ｒ（赤色），４３２Ｇ（緑色），４３２Ｂ（青色）は従来の液晶表示部の透過率分布とほぼ同様であるが、各色のカラーフィルタの透過波長範囲にほぼ含まれる２色のＬＥＤを配置したことが特徴である。例えば、赤色のカラーフィルタの透過率分布４３２Ｒに対して、ほぼ発光波長範囲が含まれるＬＥＤとして発光特性４３３Ｒ１と４３３Ｒ２を組み合わせ、これらのＬＥＤを時系列で切り替えることにより１つの副画素により２原色を制御できる。同様に緑のカラーフィルタの透過率分布４３２Ｇに対しては、ＬＥＤとして発光特性４３３Ｇ１と４３３Ｇ２を組み合わせ、青のカラーフィルタの透過率分布４３２Ｂに対しては、ＬＥＤとして発光特性４３３Ｂ１と４３３Ｂ２を組み合わせた。本実施形態ではＬＥＤのピーク波長として、４５０ナノメートル，４７０ナノメートル，５０５ナノメートル，５５０ナノメートル，６２０ナノメートル，６６０ナノメートルのＬＥＤを用いたがこのほかの組み合わせも可能である。…（略）…」
　
（ウ）段落００２２
「【００２２】図４に本実施形態のシステム構成図、図５に駆動シーケンスを示す。構成としては多原色表示に対応した画像源１１０，この画像源の画像データである画像信号１１１を本実施形態の表示装置の駆動シーケンスに沿った画像データに変換する原色変換回路１１２，時分割駆動の表示タイミングに合せるための複数のメモリバッファ１１４，メモリバッファ１１４の出力を駆動シーケンスに応じて選択するバッファ選択回路１１５，全体の駆動シーケンスを制御するタイミング制御回路１１３と液晶表示部４３０と光源部４３１により構成した。…（略）…」
　
（エ）段落００２３
「【００２３】図５により駆動シーケンスを説明する。本実施形態では、１色のカラーフィルタにより２色の原色を選択することから、１フレームを２つのサブフレームに分割し、夫々のサブフレームにおいて液晶表示部と光源による表示を完結させた。画像源の画像信号１１１から表装置用の原色信号への変換は、変換後にバッファメモリを介す構成とし、画像源とバッファフレームの出力タイミングを非同期とすることで、任意の周波数で変換後の画像信号１２１を出力することができる。このため、原色変換処理がサブフレーム時間の計算時間には入らない構成とした。原色変換後の画像信号はゲートクロック１２２と図示していないデータクロックにより表示画面上の最上行から線順次に各画素に書きこまれる。そのほかの駆動シーケンスとしては、最初に画素への電圧書込み、続いて液晶の光学応答、最後に光源の点灯の順で構成した。…（略）…」
　
（オ）段落００２５及び００２６
「【００２５】この表示装置による色度図上の表色範囲を図７に示す。黒点は短波長側のＬＥＤアレイ４１１Ａの点灯により得られる表示色、白点は長波長側のＬＥＤアレイ４１１Ｂにより得られる表示色で、表示装置全体としては、これら６点の表示色で作られる６角形の内側が本実施形態による表色範囲４３５となる。３原色の光源により達成される表色範囲４３６に比較して大幅に表色範囲が拡大していることがわかる。
　【００２６】本実施形態によれば、３色のカラーフィルタと２種類の３色光源を時系列に点灯させるとともに、液晶表示部をこれら３色光源に同期して書きかえることにより、画素の解像度を低下させること無く多原色表示を実現することができる。」
　
（カ）段落００３１から００３３まで
「【００３１】（実施例３）本発明の第３の実施形態を図１２により説明する。本実施形態は第１の実施形態において、光源の点灯時間を増やして明るい表示をする場合に、１画面分の画素に印加する電圧の書き換え時間が障害となることを踏まえて、これを改善する目的で考案したものである。本実施形態のシステム構成は図４に示した第１の実施形態とほぼ同様であることから省略する。
　【００３２】光源は第１の実施形態と全く同様のＬＥＤアレイ光源を用いるが、各画素に画像データの一時記憶用のメモリ回路と液晶に電圧を印加するための電圧印加回路を設け、これらメモリ回路と電圧印加回路を非同期に動作させることを特徴としている。すなわち、原色変換後の画像データの書き込み時には、前のサブフレームでメモリ回路に書きこんだ情報に基づいた電圧を液晶に印加するものである。
　【００３３】図１２は本実施形態における駆動シーケンスである。画素メモリへの書込みは、ゲートクロック１２２により、線順次で画像信号１２１に応じた電圧が画素内のメモリ回路に書きこまれる。１サブフィールド分の画像信号を書き換えた後に、ストローブ信号１４１により、画面全体で一括して液晶への書込み回路に電圧が書きこまれて、液晶応答１２３に示すように液晶の光学応答時間を経た後に光源を点灯する。消灯は次のサブフレームのストローブ信号１４１の直前で良いため、光源の点灯時間を長く取れることから明るい多原色表示が可能となる。」
　
イ．刊行物２に記載された技術事項
（ア）刊行物２には、液晶表示部４３０と光源部４３１とを備え、表色範囲を大幅に拡大することができる液晶表示装置が記載されている（上記ア．（ア）、（ウ）及び（オ）並びに図４）。
　
（イ）液晶表示部４３０の各画素には、画像データの一時記憶用のメモリ回路が設けられており、液晶表示部４３０に入力される画像信号に対応する電圧は、１サブフレーム分がメモリ回路に書き込まれた後、一括して液晶に印加される（上記ア．（カ）及び図１２）。
　すなわち、液晶表示部４３０は、一括転送方式で駆動される。
　
（ウ）液晶表示部４３０は、赤色、緑色及び青色フィルタ４１０を備える（上記ア．（イ）並びに図１及び２）。
　
（エ）光源部４３１は、互いに異なる発光分布を有する２つのＬＥＤアレイ光源４１１Ａ及び４１１Ｂから構成される（上記ア．（イ））。
　すなわち、２つのＬＥＤアレイ光源４１１Ａ及び４１１Ｂは、いずれも、赤色フィルタ４１０を透過する光を発する赤色ＬＥＤと、緑色フィルタ４１０を透過する光を発する緑色ＬＥＤと、青色フィルタ４１０を透過する光を発する青色ＬＥＤとを含むが、ＬＥＤアレイ光源４１１Ａに含まれる赤色ＬＥＤ、緑色ＬＥＤ及び青色ＬＥＤのピーク波長は、それぞれ、ＬＥＤアレイ光源４１１Ｂに含まれる赤色ＬＥＤ、緑色ＬＥＤ及び青色ＬＥＤのピーク波長より短い（上記ア．（イ）及び（オ）並びに図２）。
　
（オ）ＬＥＤアレイ光源４１１Ａ及び４１１Ｂは、時系列に点灯され、液晶表示部４３０は、ＬＥＤアレイ光源４１１Ａ及び４１１Ｂの点灯に同期して書き替えられる（上記ア．（エ）から（カ）まで及び図１２）。
　その結果、１色のカラーフィルタで２色の原色が選択されるのであるから（上記ア．（エ））、ＬＥＤアレイ光源４１１Ａ及び４１１Ｂのそれぞれに含まれる赤色、緑色及び青色の各ＬＥＤが発する光は、いずれも原色である。しかも、これらの原色は、色度図上のそれぞれ異なる位置にあるから（上記ア．（オ）及び図７）、ＬＥＤアレイ光源４１１Ａに含まれる３つのＬＥＤが発する光と、ＬＥＤアレイ光源４１１Ｂに含まれる３つのＬＥＤが発する光とは、互いに異なる原色系を構成することが明らかである。
　また、このとき、液晶表示部４３０には、原色変換回路１１２が画像信号１１１から変換した原色信号が供給される（上記ア．（ウ）、（エ）及び（カ）並びに図１２）。ＬＥＤアレイ光源４１１Ａの点灯時に供給される原色信号と、ＬＥＤアレイ光源４１１Ｂの点灯時に供給される原色信号とは、互いに異なる原色系に対応するものであることが明らかである。
　
（カ）以上のことを踏まえて、上記ア．（ア）から（カ）までの記載と、図１、２、４、７及び１２に示された事項とを総合すると、刊行物２には、以下の技術事項が記載されている。
　
「赤色、緑色及び青色フィルタ４１０を備え、一括転送方式で駆動される液晶表示部４３０と、光源部４３１とを備える液晶表示装置において、
　光源部４３１を、ある原色系を構成する赤色、緑色及び青色の各ＬＥＤを含むＬＥＤアレイ光源４１１Ａと、ある原色系とは異なる原色系を構成する赤色、緑色及び青色の各ＬＥＤを含むＬＥＤアレイ光源４１１Ｂとで構成し、
　ＬＥＤアレイ光源４１１Ａ及び４１１Ｂを時系列に点灯し、その点灯に同期して、ある原色系に対応する原色信号と、ある原色系とは異なる原色系に対応する原色信号とで液晶表示部４３０を書き替えることにより、液晶表示装置の表色範囲を拡大する。」
　
（３）刊行物３
ア．刊行物３の記載
　刊行物３には、以下の記載がある。原文の引用の後に、日本語訳を記載する。なお、日本語訳は、刊行物３に対応する公表特許公報（特表２００６−５０１５１３号公報）によった。
　
（ア）第４ページ第１１行から第２７行まで
「Fig. 1 shows a diagram of the operation of a conventional color 
sequential transmissive LCD display device expanded to six primary 
colours red R, green G, blue B, yellow Y, cyan C and dark blue DB 
A drawback of this arrangement is that a frame representing an 
image has to be split in 6 subframes corresponding to the six 
primary colors and display panel has to be provided with image 
information corresponding to the primary colors, which requires a 
high data rate and a fast response LCD panel. In order to mitigate 
this drawback, a transmissive or reflective display device is 
provided with spatial-temporal selection of primary colours. 
Thereto, the display device is sequentially illuminated by a set of 
light sources able to emit light with different spectra. Colour 
filters and/or optical guides can be used to select those parts of 
the spectra that form a primary colour of the display device. The 
light valves of the display device are driven in correspondence 
with the primary color generated via the selected light source in 
combination with the color filter and/or light gudies to give the 
proper weighting to each of the primary colors to form an image. 
The colour break-up phenomenon is avoided through proper choice of 
spectra of the light sources and the method of display driving. 
This operation enables displays providing a very wide gamut by 
means of multi-primary color compared to the gamut provided by a 
display with conventional three RGB primary colors operation.」
「図１は、赤Ｒ、緑Ｇ、青Ｂ、黄Ｙ、シアンＣ及び藍ＤＢの６原色に拡張された従来のカラーシーケンシャル透過型ＬＣＤディスプレイ装置の動作の説明図である。この配置の欠点は、像を表現するフレームを６原色に対応した６つのサブフレームに分割する必要があり、ディスプレイパネルに原色に対応した画像情報を与える必要があり、これが高いデータレートと高速応答ＬＣＤパネルとを必要とすることである。この欠点を緩和するため、透過型又は反射型ディスプレイ装置は、原色を空間的及び時間的に選択する。その上、ディスプレイ装置は、異なるスペクトルで光を放射することができる光源の組によって順番に光を当てられる。カラーフィルタ及び／又は光学ガイドは、これらのスペクトルの部分を選択し、ディスプレイ装置の原色を形成するため使用される。ディスプレイ装置の光弁は、像を形成するために原色のそれぞれに適切な重みを与えるためカラーフィルタ及び／又は光学ガイドと一緒になって選択された光源によって発生した原色に応じて駆動される。色割れ現象は、光源のスペクトルとディスプレイの駆動方法を適切に選択することによって防止される。この動作は、ディスプレイが多原色を用いることにより、従来のＲＧＢ３原色動作を用いるディスプレイによって得られる色域よりも非常に広い色域を実現することを可能にする。」
　
（イ）第４ページ第３２行から第５ページ第６行まで
「Fig.2 shows diagrammatically a transmissive display device 20 
comprising three color filters 24, 25, 26, two selectable light 
sources 22, 23 able to emit light with different spectra, three sub-
pixels 27, 28, 29 of a display and a controller 21. Fig. 2 shows 
only a single pixel of the display. The light sources 21, 22 can 
be, for example, a set of one or more light emitting diodes 
(LED's), cold cathode fluorescent lamps (CCFL) or hot cathode 
fluorescent lamps (HCFL) with predetermined spectra. In operation, 
the controller 21 selects alternately one of the light sources 22, 
23 and drives the sub-pixels 27, 28, 29 respectively with image 
information corresponding with the primary colors generated via the 
color filters 24, 25, 26 and the selected light source 22, 23.」
「図２は、３つのカラーフィルタ２４，２５，２６と、異なるスペクトルで光を放射する能力を備えた２つの選択可能な光源２２，２３と、ディスプレイの３つのサブピクセル２７，２８，２９と、コントローラ２１とを具備する透過型ディスプレイ装置２０の概略図である。図２にはディスプレイの１つのピクセルだけが示されている。光源２１，２２は、たとえば、所定のスペクトルをもつ１つ以上の発光ダイオード（ＬＥＤ）、冷陰極蛍光ランプ（ＣＣＦＬ）又は熱陰極蛍光ランプ（ＨＣＦＬ）の組でもよい。動作中に、コントローラ２１は、光源２２，２３のうちの一方を交互に選択し、カラーフィルタ２４，２５，２６と選択された光源２２，２３によって発生した原色に対応した画像情報を用いてサブピクセル２７，２８，２９をそれぞれに駆動する。」
　
（ウ）第５ページ第２１行から第６ページ第９行まで
「The principle of primary colour selection with colour filters is 
shown in Figure 4. Fig.4 shows a combination of color filters and 
spectra emitted by the selectable light sources for obtaining a set 
of predetermined primary colors. The color filters 24, 25, 26 are 
conventional red, green and blue color filters having a 
transmittance spectra 48, 49, 50 respectively. The first light 
source 22 is able to emit light with a spectral distribution 51 with
three different peaks in the red, green and blue wavelength range 
respectively. The second light source 23 is able to emit light with 
a spectral distribution 52 with three different peaks in the 
yellow, cyan an deep blue wavelength ranges respectively. A deep 
blue, in this application, means radiation with a wavelength range 
lower than the conventional blue wavelength range, but still 
visible. The combination of spectra 51, 52 of the light sources 22, 
23 and the conventional red, green and blue color filter 24, 25, 26 
yields two sets of primary colors. A first set consisting of red R, 
green G and blue B; and a second set consisting of yellow Y, cyan C 
and deep blue DP, respectively. The specific scheme for alternately 
selecting the first and second light sources 51, 52 in combination 
with driving of the sub-pixels 27, 28, 29 of the display panel with 
image data corresponding to the primary colors red R, green, G or 
blue B of the selected first light source 51 or the primary colors 
yellow Y, cyan C or deep blue DB of the selected light source 52, 
enables a wide gamut display device. The color gamut obtained by 
means of multiple primary colors can be much wider than that of the 
conventional EBU colour triangle. Fig. 5 shows an example of the 
gamut of a four primary color display device indicated by the 
quadrangle 53, 54, 55, 56. and the EBU triangle 57, 58, 59 for 
comparison. With a five or six primary color display device, an even
wider gamut can be made, or a better trade-off between gamut and 
available light sources with efficient light spectra can be made.」
「カラーフィルタを用いた原色選択の原理が図４に示されている。図４は、所定の原色の組を得るための、カラーフィルタと、選択可能な光源によって放射されたスペクトルとの組み合わせを表す。カラーフィルタ２４，２５，２６は、それぞれ、透過スペクトル４８，４９，５０を有する従来型の赤色、緑色及び青色のカラーフィルタである。第１の光源２２は、赤、緑及び青の波長範囲に対応した３つの異なるピークがあるスペクトル分布５１をもつ光を放射する能力がある。第２の光源２３は、黄、シアン及び藍の波長範囲に対応した３つの異なるピークがあるスペクトル分布５２をもつ光を放射する能力がある。この出願において、藍は、従来の青波長範囲よりも低い波長範囲での放射を意味するが、依然として可視である。光源２２，２３のスペクトル５１，５２と、従来の赤、緑及び青のカラーフィルタ２４，２５，２６の組み合わせは、２組の原色を生じる。第１の組は赤Ｒ、緑Ｇ及び青Ｂにより構成され、第２の組は黄Ｙ、シアンＣ及び藍ＤＰによりそれぞれ構成される。第１の光源５１と第２の光源５２を交互に選択する特殊な方式は、選択された第１の光源５１の赤Ｒ、緑Ｇ若しくは青Ｂの原色、又は、選択された光源５２の黄Ｙ、シアンＣ若しくは藍ＤＢの原色に対応した像データを用いるディスプレイパネルのサブピクセル２７，２８，２９の駆動方式と一緒になって、広色域型のディスプレイ装置を可能にする。多数の原色を用いて実現される色域は従来のＥＢＵカラートライアングルの色域よりも遙かに広くなる。図５は、四角形５３，５４，５５，５６によって示された４原色カラーディスプレイ装置の色域の一実施例と、対照用のＥＢＵトライアングル５７，５８，５９を表す。５原色又は６原色のカラーディスプレイ装置の場合、より広い色域が作られ、又は、色域と効率的な光スペクトルを有する利用可能な光源との間でより良好なトレードオフが成り立つ。」
　
（エ）第６ページ第１０行から第２１行まで
「Fig. 6 shows diagrammatically the operation of a single pixel of 
the display device according to this method. Let a conventional 
image be represented by Y, U and V or red, green or blue 
information. This information is converted to the proper greylevels 
for the sub-pixels of the display device. In operation, a frame of 
an image to be displayed is divided in two periods i.e. subframes 
T1, T2, wherein a subframe corresponds with a period in which one of
the two light sources is driven and emits light with the first or 
the second spectra. In a subframe T1, one of the light sources LS1, 
LS2 is selected to illuminate the display panel, and the sub-pixels 
of a pixel of the display panel are driven with the converted grey 
levels in correspondence with the sub frame T1 and the selected 
light source LSI and to the location of sub-pixel with respect to 
the arrangement of the color filter. The same sub-pixel is used, in 
time sequence in the other subframe T2 for modulation of the other 
primary colours is a similar way.」
「図６はこの方法によるディスプレイ装置の単一ピクセルの動作を概略的に表す。従来の像がＹ、Ｕ及びＶ、又は、赤、緑若しくは青の情報によって表現される場合を想定する。この情報は、ディスプレイ装置のサブピクセルのための適切な階調レベルに変換される。動作中に、表示されるべき像のフレームは、二つの期間、すなわち、サブフレームＴ１，Ｔ２に分割され、ここで、サブフレームは２つの光源のうちの一方が駆動され、第１又は第２のスペクトルの光を放射する期間に対応する。サブフレームＴ１において、ディスプレイパネルに光を当てるため光源ＬＳ１，ＬＳ２のうちの一方が選択され、ディスプレイパネルのピクセルのサブピクセルは、サブフレームＴ１及び選択された光源ＬＳ１と、カラーフィルタの配置に対するサブピクセルの位置とに関連した変換後の階調レベルで駆動される。同じサブピクセルは、もう一方のサブフレームＴ２内で時間的に順番に使用され、他の原色の変調も同様である。」
　
（オ）第１１ページ第３２行から第３４行まで
「The display device can be realised with a conventional LCD panel 
provided with a conventional mosaic filter for obtaining red, green 
and blue, so little modifications need to be made to the LCD 
panel.」
「ディスプレイ装置は、赤、緑及び青を得るための従来のモザイクフィルタが設けられた従来のＬＣＤパネルを用いて実現できるので、ＬＣＤパネルに殆ど変更を加える必要がない。」
　
イ．刊行物３に記載された技術事項
　上記ア．（ア）から（オ）までの記載と、図１、２及び４から６までに示された事項とを総合すると、刊行物３には、以下の技術事項が記載されている。
　
「赤色のカラーフィルタ２４、緑色のカラーフィルタ２５及び青色のカラーフィルタ２６を備える液晶ディスプレイと、異なるスペクトルで光を放射する２つの選択可能な第１の光源２２及び第２の光源２３とを備える液晶ディスプレイ装置２０において、
　第１の光源２２は、第１の原色の組を生じる赤、緑及び青の波長範囲に対応した３つの異なるピークがあるスペクトル分布５１を有する光を放射するものとし、
　第２の光源２３は、第２の原色の組を生じる黄、シアン及び藍の波長範囲に対応した３つの異なるピークがあるスペクトル分布５２を有する光を放射するものとし、
　第１の光源２２と第２の光源２３とを交互に選択し、各光源によって発生した原色に対応した画像情報を用いて液晶ディスプレイを駆動することにより、液晶ディスプレイ装置２０の色域を拡大する。」
　
３．対比
　本件補正発明と引用発明とを対比すると、以下のとおりである。
　
（１）引用発明の「カラー液晶表示システム３００」は、本件補正発明の「カラー画像を表示するためのカラーディスプレイ装置」に相当する。
　
（２）引用発明の「複数の表示画素ＰＸ」は、本件補正発明の「複数の画像要素」に相当する。
　また、引用発明の「複数の列信号線Ｄ」、「複数の行信号線Ｇ」、「水平走査回路１０１」、「垂直走査回路１０２」及び「一括転送パルス供給線１０９」は、明らかに、「複数の表示画素ＰＸ」のそれぞれを駆動信号によって制御するためのものであるから、引用発明の「複数の表示画素ＰＸ」は、その「それぞれが駆動信号によって制御可能」であるといえる。
　したがって、引用発明の「複数の列信号線Ｄ、複数の行信号線Ｇ、複数の表示画素ＰＸ、水平走査回路１０１、垂直走査回路１０２及び一括転送パルス供給線１０９を備え、一括転送方式で駆動される面順次方式による液晶表示装置１００」は、本件補正発明の「前記カラー画像を表示するための、それぞれが駆動信号によって制御可能な、複数の画像要素を備えたディスプレイパネル」に相当する。
　
（３）引用発明の「ＬＥＤ２０２」は、「発光色がＲＧＢに順次切り替えられる」から、発光色がＲである期間と発光色がＧである期間とが存在する。そして、「ＬＥＤ２０２」が発する光のスペクトルは、発光色がＲであるかＧであるかによって異なることが明らかである。
　そうすると、引用発明の「発光色がＲＧＢに順次切り替えられるＬＥＤ２０２」と、本件補正発明の「第１の期間の間第１のスペクトルを、及び第２の期間の間前記第１のスペクトルとは異なる原色系の第２のスペクトルを、前記複数の画像要素に供給することが可能な光源」とは、「第１の期間の間第１のスペクトルを、及び第２の期間の間前記第１のスペクトルとは異なる第２のスペクトルを、前記複数の画像要素に供給することが可能な光源」である点で共通する。
　
（４）引用発明の「外部から入力される映像信号」は、本件補正発明の「前記カラー画像を表す情報」に相当する。
　
（５）引用発明の「面順次信号変換回路２０８及び信号処理回路２１０」は、「外部から入力される映像信号」を「変換し」、その「補正処理を行って」いる。このことと上記（４）の対比結果とを踏まえると、本件補正発明の「前記カラー画像を表す情報を処理するためのビデオ処理手段」に相当する。
　
（６）引用発明の「液晶表示装置１００」は、「面順次方式による」ものであり、その「一括転送動作に同期して」、「ＬＥＤ２０２」の「発光色がＲＧＢに順次切り替えられる」のであるから、引用発明において、「外部から入力される映像信号を、ＲＧＢパラレルデータからＲＧＢ時系列データに変換」することは、「ＲＧＢパラレルデータ」として入力される「映像信号」から、「ＬＥＤ２０２」の発光色がＲである期間に「液晶表示装置１００」を駆動する信号と、「ＬＥＤ２０２」の発光色がＧである期間に「液晶表示装置１００」を駆動する信号とを生成することにほかならない。
　このことと、上記（４）及び（５）の対比結果とを踏まえると、引用発明の「面順次信号変換回路２０８」が「外部から入力される映像信号を、ＲＧＢパラレルデータからＲＧＢ時系列データに変換」することは、本件補正発明の「前記ビデオ処理手段」が「前記情報から前記第１のスペクトルを用いて前記第１の期間の間前記複数の画像要素を駆動するための原色駆動信号の第１のセットと、前記第２のスペクトルを用いて前記第２の期間の間前記複数の画像要素を駆動するための原色駆動信号の第２のセットとを生成」することに相当する。
　
（７）引用発明の「面順次信号変換回路２０８から入力される映像信号の補正処理を行って、現フレームの色に前フレームの色が干渉するクロストークの発生を抑制する」「信号処理回路２１０」と、本件補正発明の「前記カラーディスプレイ装置における電気光学クロストーク効果を低減するための手段であって、前記光源のスペクトルの１つ以上のパラメータに依存して前記複数の画像要素のそれぞれに対する前記駆動信号を変更するように構成された電気光学クロストーク効果を低減するための手段」とは、「前記カラーディスプレイ装置におけるクロストーク効果を低減するための手段であって、前記複数の画像要素のそれぞれに対する前記駆動信号を変更するように構成されたクロストーク効果を低減するための手段」である点で共通する。
　
（８）以上のことをまとめると、本件補正発明と引用発明との一致点及び相違点は、以下のとおりである。
　
（一致点）
「カラー画像を表示するためのカラーディスプレイ装置であって、前記カラーディスプレイ装置は、
　前記カラー画像を表示するための、それぞれが駆動信号によって制御可能な、複数の画像要素を備えたディスプレイパネルと、
　第１の期間の間第１のスペクトルを、及び第２の期間の間前記第１のスペクトルとは異なる第２のスペクトルを、前記複数の画像要素に供給することが可能な光源と、
　前記カラー画像を表す情報を処理するためのビデオ処理手段と、
を有し、前記ビデオ処理手段は、前記情報から前記第１のスペクトルを用いて前記第１の期間の間前記複数の画像要素を駆動するための原色駆動信号の第１のセットと、前記第２のスペクトルを用いて前記第２の期間の間前記複数の画像要素を駆動するための原色駆動信号の第２のセットとを生成し、前記ビデオ処理手段は、
　前記カラーディスプレイ装置におけるクロストーク効果を低減するための手段であって、前記複数の画像要素のそれぞれに対する前記駆動信号を変更するように構成されたクロストーク効果を低減するための手段を有する、カラーディスプレイ装置。」
　
（相違点１）
　本件補正発明では、「第２のスペクトル」が「第１のスペクトルとは異なる原色系」のものであり、これに対応して、「前記原色駆動信号の第１のセットと前記原色駆動信号の第２のセットとはそれぞれ異なる原色系の原色駆動信号を有する」のに対し、引用発明では、発光色Ｒ及びＧ（それぞれ本件補正発明の「第１のスペクトル」及び「第２のスペクトル」に相当する。）が同じ原色系のものである点。
　
（相違点２）
　本件補正発明では、「クロストーク」が「電気光学クロストーク」であり、「駆動信号」を「前記光源のスペクトルの１つ以上のパラメータに依存して」「変更する」のに対し、引用発明では、「クロストーク」が「現フレームの色に前フレームの色が干渉するクロストーク」であり、「映像信号の補正処理」（本件補正発明において「駆動信号」を「変更する」ことに相当する。）が「ＬＥＤ２０２」（本件補正発明の「光源」に相当する。）の「スペクトルの１つ以上のパラメータに依存して」いるか不明である点。
　
４．判断
（１）相違点１について
　赤色、緑色及び青色フィルタを備えるカラー液晶表示部と、第１のスペクトルを有する光を発する第１の光源と、第１のスペクトルとは異なる原色系の第２のスペクトルを有する光を発する第２の光源とを備えるカラー液晶表示装置において、第１の光源と第２の光源とを交互に点灯し、その点灯に同期して、第１のスペクトルの原色系に対応した駆動信号と、第２のスペクトルの原色系に対応した駆動信号とでカラー液晶表示部を駆動することにより、カラー液晶表示装置の表色範囲を拡大するという技術事項は、刊行物２に記載された技術事項（上記２．（２）イ．（カ））であるし、刊行物３に記載された技術事項（上記２．（３）イ．）でもあるから、本件出願の優先日前に当業者に周知である。
　刊行物２に記載された技術事項から明らかなように、上記周知の技術事項は、カラー液晶表示部が一括転送方式で駆動される場合にも採用することができる。
　また、刊行物３の記載（上記２．（３）ア．（ア））から明らかなように、上記周知の技術事項は、カラーシーケンシャル方式（すなわち、面順次方式）によるカラー液晶表示装置の欠点（高いデータレートと高速応答ＬＣＤパネルとが必要になること）を緩和しつつ、表色範囲を拡大するために用いられる。
　引用発明の「液晶表示装置１００」は、「一括転送方式で駆動される」ものであり、しかも、「面順次方式による」ものであるから、引用発明に上記周知の技術事項を適用して表色範囲を拡大することは、当業者が容易に思い付くことである。
　その結果、相違点１に係る構成が得られることは、明らかである。
　
（２）相違点２について
　まず、本件補正発明の「電気光学クロストーク効果」の具体的な意味を理解するために、本件出願の明細書を参照すると、その段落００３６及び００３７には以下の記載がある。
　
「【００３６】
　第１に、スペクトル・シーケンシャル・ディスプレイにおけるクロストークを測定する方法が提供される。該測定方法は、ディスプレイに存在するクロストークを決定する方法を提供する。より正確には、ディスプレイが、第１のサブフレームにおいては駆動Ｄ’１を用いて、第２のサブフレームにおいてはＤ’２を用いて、交互に駆動される。これらは、パネルに対する実際の駆動値である。次いで、第１のサブフレームにおいては第１のランプセットのみが駆動され、第２のサブフレームにおいては光が無いように、ランプ回路が駆動される。次いで、サブフレームの実際の光出力としてＤ’’１が、（Ｄ’１，Ｄ’２）の関数として測定される。クロストークの無いシステムにおいては、光出力は以前の駆動値とは独立である（本例においてはＤ’２と独立である）。現実には、Ｄ’２＜Ｄ’１である場合にはより少ない光出力があり、Ｄ’２＞Ｄ’１である場合には超過した光がある。同様の測定がＤ’’２について実行され、ここでは第２のサブフレームにおいて第２のランプセットが駆動され、第１のサブフレームにおいては光が無い。このことは、Ｄ’１とＤ’２との全てのとり得る組み合わせの少なくともサブセットに対して実行される。
　【００３７】
　斯かるクロストークの測定は、ディスプレイの例について本発明者により実行され、約５０％のクロストーク値に帰着した。このことは、第１のスペクトルの光の約半分が第２のスペクトルと混合すること、及びその逆を意味する。このことは、原色の彩度を著しく低下させる。…（略）…」
　
　この記載から、本件補正発明における「電気光学クロストーク効果」とは、第１のサブフレームの実際の光出力Ｄ’’１が、第１のサブフレームにおける駆動Ｄ’１だけでなく、第２のサブフレームにおける駆動Ｄ’２の関数でもあり、反対に、第２のサブフレームの実際の光出力Ｄ’’２が、第２のサブフレームにおける駆動Ｄ’２だけでなく、第１のサブフレームにおける駆動Ｄ’１の関数でもあるため、第１のスペクトルの光が、本来は出力されないはずの第２のサブフレームでも出力され、第２のスペクトルの光が、やはり本来は出力されないはずの第１のサブフレームでも出力される結果、両方の光が混合されて、原色の彩度が著しく低下する現象であることが分かる。
　これは、要するに、第１（第２）フレームの色が後続の第２（第１）フレームの色に干渉するということであるから、引用発明の「現フレームの色に前フレームの色が干渉するクロストーク」と本件補正発明の「電気光学クロストーク効果」とは、表現が異なるだけで、意味は同じである。
　そして、本件補正発明の「前記光源のスペクトルの１つ以上のパラメータに依存して前記複数の画像要素のそれぞれに対する前記駆動信号を変更する」は、要するに、「電気光学クロストーク効果を低減する」目的で「駆動信号を変更する」ことを意味すると解される。
　そうすると、引用発明の「信号処理回路２１０」が「面順次信号変換回路２０８から入力される映像信号の補正処理を行って、現フレームの色に前フレームの色が干渉するクロストークの発生を抑制する」ことは、本件補正発明の「前記カラーディスプレイ装置における電気光学クロストーク効果を低減するための手段」が「前記光源のスペクトルの１つ以上のパラメータに依存して前記複数の画像要素のそれぞれに対する前記駆動信号を変更するように構成された」ことに相当する。
　したがって、相違点２は、表現上の差異にすぎず、実質的な差異ではない。
　
（３）判断のまとめ
　本件補正発明は、刊行物１に記載された発明（引用発明）と周知の技術事項とに基づいて、当業者が容易に発明をすることができたものであるから、特許法第２９条第２項の規定により特許出願の際独立して特許を受けることができない。
　
５．むすび
　本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本件出願に係る発明について
１．本件出願に係る発明
　本件補正は、上記のとおり却下されたので、本件出願の請求項１から１９までのそれぞれに係る発明は、本件補正前の特許請求の範囲の請求項１から１９までのそれぞれに記載された事項によって特定されるものである。特に、請求項１に係る発明（以下、「本件発明」という。）は、以下のとおりのものである。
　
「【請求項１】
　カラー画像を表示するためのカラーディスプレイ装置であって、前記カラーディスプレイ装置は、
　前記カラー画像を表示するための、それぞれが駆動信号によって制御可能な、複数の画像要素を備えたディスプレイパネルと、
　第１の期間の間第１のスペクトルを、及び第２の期間の間前記第１のスペクトルとは異なる第２のスペクトルを、前記複数の画像要素に供給することが可能な光源と、
　前記カラー画像を表す情報を処理するためのビデオ処理手段と、
を有し、前記ビデオ処理手段は、前記情報から前記第１のスペクトルを用いて前記第１の期間の間前記複数の画像要素を駆動するための原色駆動信号の第１のセットと、前記第２のスペクトルを用いて前記第２の期間の間前記複数の画像要素を駆動するための原色駆動信号の第２のセットとを生成し、前記ビデオ処理手段は、
　前記カラーディスプレイ装置における電気光学クロストーク効果を低減するための手段であって、前記光源のスペクトルの１つ以上のパラメータに依存して前記複数の画像要素のそれぞれに対する前記駆動信号を変更するように構成された電気光学クロストーク効果を低減するための手段を有する、カラーディスプレイ装置。」
　
２．原査定の拒絶の理由
　本件発明に対する原査定の拒絶の理由１及び２は、概略以下のとおりである。
　
「（理由１）
　本件発明は、本件出願の優先日前に日本国内又は外国において頒布された刊行物１に記載された発明であるから、特許法第２９条第１項第３号に該当し、特許を受けることができない。
　
　（理由２）
　本件発明は、本件出願の優先日前に日本国内又は外国において頒布された刊行物１に記載された発明に基づいて、本件出願の優先日前にその発明の属する技術の分野における通常の知識を有する者が容易に発明をすることができたものであるから、特許法第２９条第２項の規定により特許を受けることができない。
　
　　刊行物１：特開２００１−２５５８５８号公報（前掲）」
　
３．刊行物に記載された事項
　刊行物１に記載された発明（引用発明）は、上記「第２」２．（１）イ．（ク）に記載したとおりである。
　
４．対比・判断
　本件発明は、本件補正発明から、「第２のスペクトル」が「第１のスペクトルとは異なる原色系」のものである旨の限定と、「原色駆動信号の第１のセット」と「原色駆動信号の第２のセット」とが「それぞれ異なる原色系の原色駆動信号を有する」旨の限定とを省いたものである。
　このことを踏まえて、本件発明と引用発明とを対比すると、両者は、上記「第２」３．（８）に記載した「一致点」で一致し、「相違点２」で相違する。
　そして、上記「第２」４．（２）で述べたとおり、相違点２は、表現上の差異にすぎず、実質的な差異ではないから、本件発明と引用発明との間に実質的な相違点はない。
　仮に相違点があるとしても、当業者が容易に思い付く程度のものである。
　
５．むすび
　本件発明は、刊行物１に記載された発明であるから、特許法第２９条第１項第３号に該当し、特許を受けることができない。
　また、本件発明は、刊行物１に記載された発明に基づき、当業者が容易に発明をすることができたものでもあるから、特許法第２９条第２項の規定によっても特許を受けることができない。
　したがって、他の請求項に係る発明について審理するまでもなく、本件出願は拒絶すべきものである。
　よって、結論のとおり審決する。